(57)【要約】【課題】夜間等の明るさの足りない状況においても、鏡等に映った使用者自身を目視することが可能となり、確実かつ快適に使用することができる電気かみそりを提供する。【解決手段】顎近辺にあてられて髭剃りの作用をなす、外刃２と内刃３とを有する刃ヘッド部４を備える電気かみそりにおいて、使用している者の前方を照らす発光部１Aと、刃ヘッド部もしくは刃ヘッド部の近傍に設けられて、使用している者の顎近辺を照らす発光部１Baを設け、これらの発光部の光源としてLEDを用いる。【選択図】図１
2007143634.tif 000002
【特許請求の範囲】
【請求項１】
顎近辺にあてられて髭剃りの作用をなす刃ヘッド部を備える電気かみそりにおいて、照明用の発光部を設けてなる電気かみそり。
【請求項２】
発光部が使用している者の前方を照らすものであることを特徴とする請求項１記載の電気かみそり。
【請求項３】
発光部が使用している者の顎近辺を照らすものであることを特徴とする請求項１記載の電気かみそり。
【請求項４】
発光部が刃ヘッド部もしくは刃ヘッド部の近傍に設けられていることを特徴とする請求項３記載の電気かみそり。
【請求項５】
発光部が刃ヘッド部に脱着自在に取り付けられるキャップに設けられていることを特徴とする請求項３記載の電気かみそり。
【請求項６】
キャップに鏡を設け、発光部が照らしている部位をこの鏡によって見ることができるように、キャップに鏡と発光部とを配置したことを特徴とする請求項５記載の電気かみそり。
【請求項７】
発光部の光源としてLEDを用いたことを特徴とする請求項１〜６のいずれか１項記載の電気かみそり。
【発明の詳細な説明】
【技術分野】
【０００１】
本願発明は、電気かみそりに関するものである。
【背景技術】
【０００２】
従来から、特開平１１−２９０５６１号公報（特許文献１）に示されるように、サイン表示用LEDを用いて刃を交換することをユーザに知らせるカミソリ装置は知られている。
【０００３】
このカミソリ装置は図６に示すように、ピストン１１が十分な距離を移動すると、電位差計に押し込まれ、この電位差計は信号処理回路１２を作動させ、この信号処理回路１２はサイン表示用LED９を起動させる。これにより、刃１０の交換が必要になった時にユーザに知らせることができるカミソリ装置が得られるとされている。
【特許文献１】特開平１１−２９０５６１
【発明の開示】
【発明が解決しようとする課題】
【０００４】
しかしながら、特開平１１−２９０５６１号公報に示される上記従来例のカミソリ装置にあっては、刃１０の交換の時期を知らせるサイン表示としてサイン表示用LED９を用いているので、明るさが足りず、照明用としての使用に向いていない。このため、夜間等の明るさの足りない状況においての使用等は非常に困難な作業を要する。
【０００５】
本願発明は上記背景技術に鑑みて発明されたものであり、その課題は、夜間等の明るさの足りない状況においても、快適に使用することができる電気かみそりを提供することである。
【課題を解決するための手段】
【０００６】
上記課題を解決するために、本願請求項１記載の発明では、顎近辺にあてられて髭剃りの作用をなす刃ヘッド部を備える電気かみそりにおいて、照明用の発光部を設けてなっている。
【０００７】
又、本願請求項２記載の発明では、上記請求項１記載の電気かみそりにおいて、発光部が使用している者の前方を照らすものであることを特徴としている。
【０００８】
又、本願請求項３記載の発明では、上記請求項１記載の電気かみそりにおいて、発光部が使用している者の顎近辺を照らすものであることを特徴としている。
【０００９】
又、本願請求項４記載の発明では、上記請求項３記載の電気かみそりにおいて、発光部が刃ヘッド部もしくは刃ヘッド部の近傍に設けられていることを特徴としている。
【００１０】
又、本願請求項５記載の発明では、上記請求項３記載の電気かみそりにおいて、発光部が刃ヘッド部に脱着自在に取り付けられるキャップに設けられていることを特徴としている。
【００１１】
又、本願請求項６記載の発明では、上記請求項５記載の電気かみそりにおいて、キャップに鏡を設け、発光部が照らしている部位をこの鏡によって見ることができるように、キャップに鏡と発光部とを配置したことを特徴としている。
【００１２】
又、本願請求項７記載の発明では、上記請求項１〜６のいずれか１項記載の電気かみそりにおいて、発光部の光源としてLEDを用いたことを特徴としている。
【発明の効果】
【００１３】
本願請求項１記載の発明の電気かみそりにおいては、照明用の発光部を設けたため、夜間等の明るさの足りない状況においても一定の明るさを得ることができ、快適に電気かみそりを使用することができる。
【００１４】
本願請求項２記載の発明の電気かみそりにおいては、特に、前方を照らすことができるため、前方にある鏡等に照射することができる。これにより、鏡等に照射した光が反射して使用者を照らし、夜間等の明るさの足りない状況においても、鏡等に映った使用者自身を目視することが可能となる。
【００１５】
本願請求項３記載の発明の電気かみそりにおいては、特に、顎近辺を照らすことができる。これにより、夜間等の明るさの足りない状況においても、電気かみそりを使用する部位が確実に目視することが可能となり、快適に電気かみそりを使用することができる。
【００１６】
本願請求項４記載の発明の電気かみそりにおいては、特に、発光部が刃ヘッド部もしくは刃ヘッド部の近傍に設けられたため、より局所的かつ集中的に顎近辺を照らすことができる。これにより、より確実に電気かみそりを使用する部位を目視することが可能となり、そり残しも防止できる。又、電気かみそりの動きに応じて発光部が照らす範囲も動くため、電気かみそりを使用している部位の近辺を常に発光部が照射することになり、便利である。
【００１７】
本願請求項５記載の発明の電気かみそりにおいては、特に、発光部がキャップに設けられたため、キャップを用いて使用者が望む顎近辺の部位を照らすことができる。これにより、より確実に電気かみそりを使用する部位を目視することが可能となり、そり残しも防止できる。又、キャップは電気かみそりに脱着自在に取り付けることが可能であるため、不使用時においては電気かみそりに取り付けて一体としておくことができる。よって、電気かみそりとともに持ち運びでき、携帯性に優れている。又、一般的に電気かみそりに取り付けられるキャップに発光部を設けているので、外観も自然である。
【００１８】
本願請求項６記載の発明の電気かみそりにおいては、特に、発光部が照らしている部位をこの鏡によって見ることができるため、キャップを用いて望む部位を照らしながら、照らしている部位をキャップに設けられた鏡によって見ることができる。これにより、明るさが足りなかったり、使用者を映す鏡等がなかったりしても、確実かつ快適に電気かみそりを使用することができる。
【００１９】
本願請求項７記載の発明の電気かみそりにおいては、特に、発光部の光源としてLEDを用いられている。LEDは小型軽量であるので、発光部の小型化が可能となり、電気かみそりの使用時において邪魔になる等の弊害を防ぐことができる。又、LEDは低消費電力であるため、発光部を使用することでの電気かみそりの使用可能時間の減少を抑えることができる。さらに、LEDは放熱が少ないため、使用者が不快な熱さを感じることも軽減できる。
【発明を実施するための最良の形態】
【００２０】
以下、本願発明を添付図面に示す実施形態に基づいて説明する。
【００２１】
図１、２は、本願請求項１〜４、７に対応した一実施形態である、使用している者の前方を照らす発光部１Aと使用している者の顎近辺を照らす発光部１Baとを設けた電気かみそりを示している。
【００２２】
この電気かみそりは、図１、２に示すように、顎近辺にあてられて、髭剃りの作用をなす、外刃２と内刃３とを有する刃ヘッド部４を備え、照明用の発光部１を設けてなる。そして、この発光部１は、使用している者の前方を照らす発光部１Aと、使用している者の顎近辺を照らす発光部１Baと、がある。この発光部１Baは刃ヘッド部もしくは刃ヘッド部の近傍に設けられている。又、発光部１の光源としてLEDを用いている。
【００２３】
以下、この実施形態の電気かみそりをより具体的詳細に説明する。図１、２に示すように、この電気かみそりは、グリップ部５とグリップ部５の一端に位置する刃ヘッド部４と、刃ヘッド部４に脱着自在に取り付けられるキャップ６によって構成され、刃ヘッド部４に備えられた内刃３がモーター等の駆動源により往復動をすることで、ひげそり作用をなす。
【００２４】
使用者が電気かみそりを握るためのグリップ部５のケーシングはプラスチック等からなり、使用者が電気かみそりを握りやすくなるようにくびれが設けられている。このグリップ部５のケーシングには電気かみそりの電源スイッチ７が設けられ、これをスライドさせる事により、電源を入れる事と電源を切る事とができる。刃ヘッド部４のケーシングはプラスチック等からなり、金属等からなる外刃２と内刃３とを備える。
【００２５】
この電気かみそりには照明用の発光部１を設けてなる。そして、発光部１は、使用している者の前方を照らす発光部１Aと、使用している者の顎近辺を照らす発光部１Baと、がある。
【００２６】
本実施形態においては、まず、使用者が握るにあたって邪魔になったり、発光部１Aを手で覆ってしまったりしないように、発光部１Aをグリップ部５の使用時における上部であって、電源スイッチ７の上方に位置するように設けている。次に、発光部１Baを、電気かみそり使用時に使用者に接触しないよう、刃ヘッド部４の両サイド上部に、それぞれ設けている。
【００２７】
又、上記の発光部１それぞれにおいての光源としてLEDを使用している。
【００２８】
したがって、この実施形態の電気かみそりにおいては、照明用の発光部１を設けたため、夜間等の明るさの足りない状況においても一定の明るさを得ることができる。よって、外出時や停電時などの緊急時においても、充電機能を有するため、この電気かみそりを携帯しておけば明るさを確保できるので便利である。
【００２９】
又、発光部１Aが前方を照らすことができるため、前方にある鏡等に照射することができる。これにより、鏡等に照射した光が反射して使用者を照らし、夜間等の明るさの足りない状況においても、鏡等に映った使用者自身を目視することが可能となり、快適に電気かみそりを使用することができる。又、発光部１Aはグリップ部５の上部であって、電源スイッチ７の上方に位置しているので、使用者はグリップ部５を握っている時であっても、発光部１Aを手で覆ってしまうような事もない。
【００３０】
又、発光部１Baが、刃ヘッド部４近傍に設けられたため、より局所的かつ集中的に顎近辺を照らすことができる。これにより、より効果的かつ確実に電気かみそりを使用する部位を目視することが可能となり、そり残しも防止できる。又、電気かみそりの動きに応じて発光部１Baが照らす範囲も動くため、電気かみそりを使用している部位の近辺を常に発光部１Baが照射することになり、便利である。又、刃ヘッド部４の両サイド上部にそれぞれ設けられているため、使用者の顎近辺までの距離も短く、より効果的に電気かみそりを使用する部位を照らすことができ、明るさも優れている。よって、発光部1Aと発光部１Baとを両方備えることで、鏡８等を使って使用者自身を大まかに目視することも、電気かみそりを使用している部位の近辺を確実に目視することも、可能となり便利である。
【００３１】
又、発光部１の光源としてLEDを用いている。LEDは小型軽量であるので、発光部１の小型化が可能となり、電気かみそりの使用時において邪魔になる等の弊害を防ぐことができる。又、LEDは低消費電力であるため、発光部１を使用することでの電気かみそりの使用可能時間の減少を抑えることができる。さらに、LEDは放熱が少ないため、使用者が不快な熱さを感じることも軽減できる。
【００３２】
なお、本実施形態では、使用している者の前方を照らす発光部１Aと、使用している者の顎近辺を照らす発光部１Baと、を設けて明るさを得るようにしたが、電気かみそりの実施形態はこれに限られるものではない。以下に他の実施形態について説明する。
【００３３】
図３〜５は、本願請求項１、３、５〜７に対応した一実施形態であり、図３、４は使用している者の顎近辺を照らす発光部１Bbと鏡８とを設けた電気かみそりのキャップ６を、図５は本実施形態における電気かみそりの使用状態を、示している。
【００３４】
この電気かみそりは、図３〜５に示すように、刃ヘッド部に脱着自在に取り付けられるキャップ６に発光部１Bbを設けている。この発光部１Bbはキャップ６表面の両側面にそれぞれ設けている。
【００３５】
そして、キャップ６に鏡８を設け、発光部１Bbが照らしている部位を鏡８によって見ることができるように、キャップ６に鏡８と発光部１Bbとを配置している。このキャップ６はプラスチック等からなり、略コ字状断面を有している。そして、このキャップ６は刃ヘッド部４を覆うように取り付けられる。
【００３６】
したがって、この実施形態の電気かみそりにおいては、キャップ６を用いて使用者が望む顎近辺の部位を照らすことができる。これにより、より確実に電気かみそりを使用する部位を目視することが可能となり、そり残しも防止できる。又、発光部１Bbがキャップ６表面の両側面にそれぞれ設けられたため、鏡８に発光部１Bｂの光が影響して見えにくくなることもない。又、キャップ６は電気かみそりに脱着自在に取り付けることが可能であるため、不使用時においては電気かみそりに取り付けて一体としておくことができる。よって、電気かみそりとともに持ち運びでき、携帯性に優れている。又、一般的に電気かみそりに取り付けられるキャップ６に発光部１Bbを設けているので、外観も自然である。更に、キャップ６表面の両側面にそれぞれ発光部１Bｂを設けているため、これらの発光部１Bｂが同じ対象範囲に照射することで、優れた明るさを得ることも可能である。
【００３７】
又、キャップ６に鏡８を設け、発光部１Bbが照らしている部位をこの鏡８によって見ることができるように、キャップ６に鏡８と発光部１Bbとを配置したため、キャップ６を用いて望む部位を照らしながら、照らしている部位をキャップ６に設けられた鏡８によって見ることができる。これにより、明るさが足りなかったり、前方に位置して使用者を映す鏡等がなかったりしても、確実かつ快適に電気かみそりを使用することができる。
【００３８】
更に、図１〜２の実施形態の電気かみそりに、図３〜５の実施形態のキャップ６を使ってもよい。
【図面の簡単な説明】
【００３９】
【図１】本願発明の一実施形態である電気かみそりを示す斜視図。
【図２】同電気かみそりを示す側面図。
【図３】他の実施形態に用いられるキャップの上面が見えるようになした斜視図。
【図４】同キャップの鏡が見えるようになした斜視図。
【図５】同キャップを用いている時の電気かみそりの使用状態図。
【図６】従来例であるカミソリ装置の正面図。
【符号の説明】
【００４０】
１（１A、1Ba、1Bb）  発光部
２  外刃
３  内刃
４  刃ヘッド部
５  グリップ部
６  キャップ
７  電源スイッチ
８  鏡
【図１】
2007143634.tif 000003
【図２】
2007143634.tif 000004
【図３】
2007143634.tif 000005
【図４】
2007143634.tif 000006
【図５】
2007143634.tif 000007
【図６】
2007143634.tif 000008